【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
荷電粉末粒子を強磁性担体粒子と前記粉末粒子との混合物からパージするための粉末パージ装置であって、
前記担体粒子を支持するための第１の側を含む支持表面と、
前記第１の側とは反対の、前記支持表面の第２の側に配置された、前記第１の側に磁場を生成して前記担体粒子の磁気ブラシを形成するために前記担体粒子を前記第１の側に引き寄せるための複数の磁石であって、前記磁場と前記支持表面とは互いに対して移動可能である、複数の磁石と、
前記支持表面に対する前記磁場の移動を駆動するように適合された駆動要素と、
前記第１の側に対向し、前記第１の側から離間された吸引表面と、
前記粉末粒子を前記吸引表面に向かって引き寄せるために、前記吸引表面と前記支持表面との間に電場を生成するように適合された場発生装置とを備え、
担体粒子の前記磁気ブラシが、前記吸引表面から離間される、粉末パージ装置。
【請求項２】
前記混合物を前記第１の側に供給するための混合物供給デバイスをさらに備える、請求項１に記載の粉末パージ装置。
【請求項３】
前記混合物供給デバイスが、担体粒子の前記ブラシの既定の最大高さに等しい距離だけ前記第１の側から離間された供給出口を備える、請求項２に記載の粉末パージ装置。
【請求項４】
前記混合物供給デバイスが、前記混合物を流動化するための流動化手段を備える、請求項２又は請求項３のいずれか一項に記載の粉末パージ装置。
【請求項５】
前記複数の磁石及び前記支持表面が、互いに対して移動可能であり、前記駆動要素が、前記複数の磁石に対する前記支持表面の移動を駆動するように適合される、請求項１から４までのいずれか一項に記載の粉末パージ装置。
【請求項６】
前記支持表面が長手軸を有するスリーブを備え、前記第１の側が円筒状であり、前記複数の磁石の周りに配置され、前記複数の磁石が前記長手軸から径方向に延びる、請求項１から５までのいずれか一項に記載の粉末パージ装置。
【請求項７】
前記複数の磁石が始点及び終点を有する通路に沿って配置され、前記始点及び前記終点は前記長手軸に沿って離間される、請求項６に記載の粉末パージ装置。
【請求項８】
前記通路が前記長手軸周りでらせん状になる、請求項７に記載の粉末パージ装置。
【請求項９】
前記第１の側には、始点及び終点を有する通路に沿って前記担体粒子の移動を誘導するためのらせんが設けられ、前記始点及び前記終点は前記長手軸に沿って離間される、請求項６に記載の粉末パージ装置。
【請求項１０】
前記らせんが、強磁性材料を含む第１の層と、第２の層とを含む、らせん状ストリップである、請求項９に記載の粉末パージ装置。
【請求項１１】
前記複数の磁石が、前記支持表面の、前記第１の側とは反対の第２の側において多くの平行な別個のセクションに区分化され、各セクション内の前記磁石は前記支持表面の近位に同じ磁極を有して配置される、請求項９又は請求項１０のいずれか一項に記載の粉末パージ装置。
【請求項１２】
隣接するセクションの前記磁極がそれぞれ反対方向に向けられる、請求項１１に記載の粉末パージ装置。
【請求項１３】
磁石の前記セクションが前記長手軸に対して平行に延びる、請求項１１又は１２のいずれか一項に記載の粉末パージ装置。
【請求項１４】
前記第２の側に対向する同じセクション内の隣接する磁石の磁極間の距離が、隣接するセクション内に配置され前記第２の側に対向する隣接する磁石の磁極間の距離より小さい、請求項１１、１２、又は１３のいずれか一項に記載の粉末パージ装置。
【請求項１５】
前記通路が前記長手軸に沿って単一方向に向けられる、請求項７から１４までのいずれか一項に記載の粉末パージ装置。
【請求項１６】
前記複数の磁石のうちの前記終点における磁石が、前記複数の磁石のうちの前記始点における磁石より小さい磁場強度を有する、請求項７から１５までのいずれか一項に記載の粉末パージ装置。
【請求項１７】
前記通路が、前記始点を含む第１のセクションと、前記終点を含む第２のセクションとを含み、前記複数の磁石のうちの前記第２のセクションに沿って配置された磁石の前記磁場強度は前記終点に向かって低減する、請求項１６に記載の粉末パージ装置。
【請求項１８】
前記通路の前記終点に又はその下流側に配置された担体粒子容器をさらに備える、請求項７から１７までのいずれか一項に記載の粉末パージ装置。
【請求項１９】
前記終点と前記担体容器との近くに、担体粒子を前記終点から離して前記担体粒子容器内又はその入口内に払うための回転ブラシをさらに備える、請求項１８に記載の粉末パージ装置。
【請求項２０】
前記磁石が、前記支持表面の前記第１の側の、前記始点と前記終点の間の全体にわたって前記担体粒子に磁力を与えるために配置される、請求項７から１９までのいずれか一項に記載の粉末パージ装置。
【請求項２１】
前記混合物を前記第１の側に供給するための混合物供給デバイスをさらに備え、前記混合物供給デバイスが、前記始点の近くの場所で前記混合物を前記第１の側に供給するために配置される、請求項７から２０までのいずれか一項に記載の粉末パージ装置。
【請求項２２】
少なくとも使用中、前記吸引表面が前記支持表面に対して回転に関して固定される、請求項１から２１までのいずれか一項に記載の粉末パージ装置。
【請求項２３】
少なくとも使用中、前記吸引表面が前記複数の磁石に対して回転に関して固定される、請求項１から２１までのいずれか一項に記載の粉末パージ装置。
【請求項２４】
前記吸引表面が、前記支持表面に対向する前記吸引表面の第１の側から前記支持表面に背を向ける前記吸引表面の第２の側まで粉末粒子を通過させるための複数の開口部を含む、請求項１から２３までのいずれか一項に記載の粉末パージ装置。
【請求項２５】
真空源に連結された空気マニホールドをさらに備え、前記空気マニホールドは、粉末粒子を前記吸引表面の前記第１の側から除去するために前記吸引表面に隣接して配置される、請求項２４に記載の粉末パージ装置。
【請求項２６】
前記吸引表面が前記支持表面の前記第１の側を外囲する、請求項１から２５までのいずれか一項に記載の粉末パージ装置。
【請求項２７】
前記吸引表面の前記第１の側が前記支持表面の周りにトンネルを形成する、請求項２６に記載の粉末パージ装置。
【請求項２８】
前記場発生装置が前記電場の方向を反転させるように適合される、請求項１から２７までのいずれか一項に記載の粉末パージ装置。
【請求項２９】
前記支持表面と前記吸引表面との両方が導電性材料を含み、前記場発生装置が、前記支持表面と前記吸引表面との前記導電性材料に導電的に連結され、これらの間に電位差を生成するように適合される、請求項１から２８までのいずれか一項に記載の粉末パージ装置。
【請求項３０】
前記支持表面の前記第１の側が粗面を含む、請求項１から２９までのいずれか一項に記載の粉末パージ装置。
【請求項３１】
前記駆動要素が、前記複数の磁石に対する前記支持表面の回転運動を駆動するように適合される、請求項１から３０までのいずれか一項に記載の粉末パージ装置。
【請求項３２】
前記支持表面は、前記複数の磁石が、前記担体粒子を前記第１の側に引き寄せるために前記第１の側に前記磁場を生成するように配置される第１の位置から、前記第１の側が前記複数の磁石によって生成された前記磁場の外側にある第２の位置まで、及びその逆方向に移動可能である、請求項１から３１までのいずれか一項に記載の粉末パージ装置。
【請求項３３】
荷電粉末粒子を強磁性担体粒子と前記粉末粒子との混合物からパージする方法であって、
前記混合物を支持表面の第１の側に供給することと、
前記第１の側に前記担体粒子の磁気ブラシを形成するために磁場を生成するように、前記支持表面の、前記第１の側とは反対の第２の側に配置された複数の磁石を用いて、前記混合物の前記担体粒子を前記第１の側に引き寄せることと、
前記磁場を前記支持表面に対して移動させることと、
前記支持表面と、前記第１の側から離間され前記第１の側に対向する、前記荷電粉末粒子を引き寄せるための吸引表面との間に電場を生成することとを含み、
担体粒子の前記磁気ブラシが前記吸引表面から離間されている、方法。
【請求項３４】
請求項１から３２までのいずれか一項に記載の粉末パージ装置を用いて実施される、請求項３３に記載の方法。
【請求項３５】
吸引表面が、前記複数の磁石の移動が前記支持表面に対して駆動される間、前記支持表面に対して回転に関して固定される、請求項３３又は３４のいずれか一項に記載の方法。
【請求項３６】
前記吸引表面が前記複数の磁石に対して回転に関して固定される、請求項３３又は請求項３４のいずれか一項に記載の方法。
【請求項３７】
前記混合物を前記支持表面の前記第１の側に供給する前に、前記混合物を流動化するステップをさらに含む、請求項３３から３６までのいずれか一項に記載の方法。
【請求項３８】
前記第１の側が円筒形状を有し、前記担体粒子が、第１の側を前記複数の磁石に対して回転させることによって前記第１の側に対して移動させられる、請求項３３から３７までのいずれか一項に記載の方法。
【請求項３９】
前記複数の磁石の前記磁石が始点及び終点を有するらせん状通路に沿って配置され、前記始点及び前記終点が前記円筒形状の長手軸に沿って離間され、前記混合物が前記始点において前記第１の側に連続的に供給され、前記第１の側の担体粒子が前記第１の側の上を前記らせん状通路に沿って前記終点に向かって連続的に移動させられる、請求項３８に記載の方法。
【請求項４０】
前記磁石の前記磁場強度が前記終点に向かって低減する、請求項３９に記載の方法。
【請求項４１】
前記電場を反転させるステップをさらに含む、請求項３３から４０までのいずれか一項に記載の方法。
【請求項４２】
前記粉末粒子が与えられる基板を、前記吸引表面と前記第１の側の間に、前記第１の側から離間して置くステップをさらに含む、請求項３３から４１までのいずれか一項に記載の方法。
【請求項４３】
前記吸引表面が、前記粉末粒子が与えられる基板を備える、請求項３３から４２までのいずれか一項に記載の方法。
【請求項４４】
前記混合物のすべてが前記第１の側に供給され、前記混合物は粉末粒子の既定された量を含む、請求項３３から４３までのいずれか一項に記載の方法。